(57)【特許請求の範囲】
【請求項１】
撮像装置であって、
撮像開始指示後に、自動合焦処理、撮像処理の順で処理を実行するセルフタイマーモードで撮像制御を実行する撮像制御部と、
画像表示部の回動状態を検知する状態検知部と、
を有し、
前記撮像制御部は、自分撮りモードである第２のセルフタイマーモードと、前記自分撮りモード以外の撮像モードである第１のセルフタイマーモードとで撮像制御を実行し、
前記状態検知部は、前記画像表示部の回動状態に応じて前記第１または前記第２のセルフタイマーモードを選択し、
前記回動状態が前記撮像装置の上部の一辺を軸にした１８０度の回動である場合には、前記状態検知部は、前記第２のセルフタイマーモードを選択し、
前記撮像制御部は、前記状態検知部がセルフタイマーモードを選択した後、前記第１のセルフタイマーモードにおける前記撮像開始指示から前記自動合焦処理を行うまでの第１の期間が、前記第２のセルフタイマーモードにおける前記撮像開始指示から前記自動合焦処理を行うまでの第２の期間よりも短くする撮像制御を行う、撮像装置。
【請求項２】
撮像開始を前記撮像制御部に指示する操作部をさらに備え、
前記操作部は、ユーザにより撮像開始が指示される際に、ユーザが前記操作部を操作する手または腕により、筐体に配置されたレンズに入射する光が遮られる位置に設けられる、請求項１に記載の撮像装置。
【請求項３】
前記操作部は、タッチパネルを備えた前記画像表示部である、請求項２に記載の撮像装置。
【請求項４】
前記画像表示部は、表示面が、前記筐体における前記レンズが設けられた方向である前面側に現れる第１の状態と、前記前面側の反対方向である背面側に現れる第２の状態とに切り換え可能である、請求項３に記載の撮像装置。
【請求項５】
前記撮像制御部は、セルフタイマーモードの際に、前記画像表示部が前記第１の状態であるか前記第２の状態であるかに応じて、前記第１のセルフタイマーモードまたは前記第２のセルフタイマーモードのいずれかで撮像制御を実行する、請求項４に記載の撮像装置。
【請求項６】
前記撮像制御部は、セルフタイマーモードの際に、撮像開始指示時における自装置の固定状態に応じて、前記第１のセルフタイマーモードまたは前記第２のセルフタイマーモードのいずれかで撮像制御を実行する、請求項１〜５のいずれかに記載の撮像装置。
【請求項７】
前記撮像制御部は、セルフタイマーモードの際に、撮像開始指示時に自装置がユーザに把持されているか否かに応じて、前記第１のセルフタイマーモードまたは前記第２のセルフタイマーモードのいずれかで撮像制御を実行する、請求項１〜６のいずれかに記載の撮像装置。
【請求項８】
前記第２のセルフタイマーモードは、自分撮りモードであり、前記第１のセルフタイマーモードは、前記自分撮りモード以外の撮像モードである、請求項１〜７のいずれかに記載の撮像装置。
【請求項９】
前記撮像制御部は、前記第１のセルフタイマーモードの際に、自動合焦処理のあと、前記第１の期間より長い期間の経過後に撮像処理を実行する、請求項１〜８のいずれかに記載の撮像装置。
【請求項１０】
前記撮像制御部は、前記第２のセルフタイマーモードの際に、自動合焦処理のあと、前記第２の期間より短い期間の経過後に撮像処理を実行する、請求項１〜８のいずれかに記載の撮像装置。
【請求項１１】
前記第２の期間は、設定されたタイマー時間に基づく時間である、請求項１〜１０のいずれかに記載の撮像装置。
【請求項１２】
撮像装置の制御方法であって、
撮像開始指示後に、自動合焦処理、撮像処理の順で処理を実行するセルフタイマーモードで撮像制御を実行する撮像制御ステップと、
画像表示部の回動状態を検知する状態検知ステップと、
を有し、
前記撮像制御ステップは、自分撮りモードである第２のセルフタイマーモードと、前記自分撮りモード以外の撮像モードである第１のセルフタイマーモードとで撮像制御を実行し、
前記状態検知ステップは、前記画像表示部の回動状態に応じて前記第１または前記第２のセルフタイマーモードを選択し、
前記回動状態が前記撮像装置の上部の一辺を軸にした１８０度の回動である場合には、前記状態検知ステップは、前記第２のセルフタイマーモードを選択し、
前記撮像制御ステップは、前記状態検知ステップでセルフタイマーモードが選択された後、前記第１のセルフタイマーモードにおける前記撮像開始指示から前記自動合焦処理を行うまでの第１の期間が、前記第２のセルフタイマーモードにおける前記撮像開始指示から前記自動合焦処理を行うまでの第２の期間よりも短くする撮像制御を行う、撮像装置の制御方法。
【請求項１３】
タッチパネルを備えた画像表示部の表示面が、筐体におけるレンズが設けられた方向である前面側に現れる第１の状態と、前記前面側の反対方向である背面側に現れる第２の状態とに切り換え可能である、請求項１２に記載の撮像装置の制御方法。
【請求項１４】
前記撮像制御ステップは、セルフタイマーモードの際に、前記画像表示部が前記第１の状態であるか前記第２の状態であるかに応じて、前記第１のセルフタイマーモードまたは前記第２のセルフタイマーモードのいずれかで撮像制御を実行する、請求項１３に記載の撮像装置の制御方法。
【請求項１５】
前記撮像制御ステップは、セルフタイマーモードの際に、撮像開始指示時における自装置の固定状態に応じて、前記第１のセルフタイマーモードまたは前記第２のセルフタイマーモードのいずれかで撮像制御を実行する、請求項１２〜１４のいずれかに記載の撮像装置の制御方法。
【請求項１６】
前記撮像制御ステップは、セルフタイマーモードの際に、撮像開始指示時に自装置がユーザに把持されているか否かに応じて、前記第１のセルフタイマーモードまたは前記第２のセルフタイマーモードのいずれかで撮像制御を実行する、請求項１２〜１５のいずれかに記載の撮像装置の制御方法。
【請求項１７】
前記第２のセルフタイマーモードは、自分撮りモードであり、前記第１のセルフタイマーモードは、前記自分撮りモード以外の撮像モードである、請求項１２〜１６のいずれかに記載の撮像装置の制御方法。
【請求項１８】
前記撮像制御ステップは、前記第１のセルフタイマーモードの際に、自動合焦処理のあと、前記第１の期間より長い期間の経過後に撮像処理を実行する、請求項１２〜１７のいずれかに記載の撮像装置の制御方法。
【請求項１９】
前記撮像制御ステップは、前記第２のセルフタイマーモードの際に、自動合焦処理のあと、前記第２の期間より短い期間の経過後に撮像処理を実行する、請求項１２〜１７のいずれかに記載の撮像装置の制御方法。
【請求項２０】
前記第２の期間は、設定されたタイマー時間に基づく時間である、請求項１２〜１９のいずれかに記載の撮像装置の制御方法。
【請求項２１】
撮像開始指示後に、自動合焦処理、撮像処理の順で処理を実行するセルフタイマーモードで撮像制御を実行する撮像制御ステップと、
撮像装置に備えられる画像表示部の回動状態を検知する状態検知ステップと、
をコンピュータに実行させ、
前記撮像制御ステップは、自分撮りモードである第２のセルフタイマーモードと、前記自分撮りモード以外の撮像モードである第１のセルフタイマーモードとで撮像制御を実行し、
前記状態検知ステップは、前記画像表示部の回動状態に応じて前記第１または前記第２のセルフタイマーモードを選択し、
前記回動状態が前記撮像装置の上部の一辺を軸にした１８０度の回動である場合には、前記状態検知ステップは、前記第２のセルフタイマーモードを選択し、
前記撮像制御ステップは、前記状態検知ステップでセルフタイマーモードが選択された後、前記第１のセルフタイマーモードにおける前記撮像開始指示から前記自動合焦処理を行うまでの第１の期間が、前記第２のセルフタイマーモードにおける前記撮像開始指示から前記自動合焦処理を行うまでの第２の期間よりも短くする撮像制御を行う、コンピュータプログラム。
【発明の詳細な説明】
【技術分野】
【０００１】
本開示は、撮像装置、撮像装置の制御方法およびコンピュータプログラムに関する。
【背景技術】
【０００２】
静止画の撮像を行なって画像データを得ることができる銀塩カメラやデジタルカメラには、撮像者が被写体として撮像フレームの中に入ることができるように、シャッタボタンに対するレリーズ操作から一定時間の経過後に撮像を行うセルフタイマー撮像モードが一般に備えられている（特許文献１，２等参照）。
【先行技術文献】
【特許文献】
【０００３】
【特許文献１】特開平０２−１０５１２４号公報
【特許文献２】特開２００５−２７７９０７号公報
【発明の概要】
【発明が解決しようとする課題】
【０００４】
近年では、設定画面を表示したり、いわゆるライブビュー画像や撮像画像を表示したりするディスプレイが回動するデジタルカメラがある。そのようなデジタルカメラでは、ディスプレイの表示面をレンズの向きと同じ向きにすることで、撮像者自身の姿を容易に撮像できるものがある。また近年では、撮像開始のトリガを、シャッタレリーズ操作の他に、撮像者によるディスプレイへの接触動作とするものがある。
【０００５】
通常のデジタルカメラは、セルフタイマーモードでは無い通常撮像モードにおいて、撮像者によって撮像操作が行われると、その時点で被写体の自動合焦処理を行なう。そしてセルフタイマー撮像モードでは、デジタルカメラは、所定の時間が経過した後に実際に撮像処理を実行する。しかし、ディスプレイが回動するデジタルカメラでセルフタイマーモードにおいてもセルフタイマーを起動するボタン等に対する撮像者による撮像操作が行われた時点で同様に自動合焦処理を実行すると、撮像者の手や腕に合焦するなど、撮像者にとって意図しない合焦処理が実行されてしまう。
【０００６】
そこで、本開示は、撮像者にとって意図しない合焦処理を回避して適切にセルフタイマー撮像を実行することが可能な、新規かつ改良された撮像装置、撮像装置の制御方法およびコンピュータプログラムを提供することにある。
【課題を解決するための手段】
【０００７】
本開示によれば、撮像開始指示後に、自動合焦処理、撮像処理の順で処理を実行する第１及び第２のセルフタイマーモードで撮像制御を実行する撮像制御部を有し、前記第１のセルフタイマーモードにおける前記撮像開始指示から前記自動合焦処理を行うまでの第１の期間が、前記第２のセルフタイマーモードにおける前記撮像開始指示から前記自動合焦処理を行うまでの第２の期間よりも短い、撮像装置が提供される。
【０００８】
また本開示によれば、撮像開始指示後に、自動合焦処理、撮像処理の順で処理を実行する第１及び第２のセルフタイマーモードで撮像制御を実行する撮像制御部を有し、前記第１のセルフタイマーモードにおける前記撮像開始指示から前記自動合焦処理を行うまでの第１の期間が、前記第２のセルフタイマーモードにおける前記撮像開始指示から前記自動合焦処理を行うまでの第２の期間よりも短い、撮像装置の制御方法が提供される。
【０００９】
また本開示によれば、撮像開始指示後に、自動合焦処理、撮像処理の順で処理を実行する第１及び第２のセルフタイマーモードで撮像制御を実行する撮像制御ステップをコンピュータに実行させ、前記第１のセルフタイマーモードにおける前記撮像開始指示から前記自動合焦処理を行うまでの第１の期間が、前記第２のセルフタイマーモードにおける前記撮像開始指示から前記自動合焦処理を行うまでの第２の期間よりも短い、コンピュータプログラムが提供される。
【発明の効果】
【００１０】
以上説明したように本開示によれば、撮像者にとって意図しない合焦処理を回避して適切にセルフタイマー撮像を実行することが可能な、新規かつ改良された撮像装置、撮像装置の制御方法およびコンピュータプログラムを提供することができる。
【図面の簡単な説明】
【００１１】
【図１】本開示の一実施形態にかかる撮像装置１００の外観を正面図で示す説明図である。
【図２】本開示の一実施形態にかかる撮像装置１００の外観を側面図で示す説明図である。
【図３】撮像者が表示部１０８へ指を接触させた様子を示す説明図である。
【図４】本開示の一実施形態にかかる撮像装置１００の機能構成例を示す説明図である。
【図５】本開示の一実施形態にかかる撮像装置１００の動作例を示す説明図である。
【図６】撮像装置１００が有するセルフタイマーモードについて示す説明図である。
【図７】撮像装置１００が有するセルフタイマーモードについて示す説明図である。
【発明を実施するための形態】
【００１２】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１３】
なお、説明は以下の順序で行うものとする。
＜１．本開示の一実施形態＞
［撮像装置の外観例］
［撮像装置の機能構成例］
［撮像装置の動作例］
＜２．まとめ＞
【００１４】
＜１．本開示の一実施形態＞
［撮像装置の外観例］
まず、本開示の一実施形態にかかる撮像装置の外観例を説明する。図１は、本開示の一実施形態にかかる撮像装置１００の外観を正面図で示す説明図であり、図２は、本開示の一実施形態にかかる撮像装置１００の外観を側面図で示す説明図である。以下、図１及び図２を用いて本開示の一実施形態にかかる撮像装置の外観例について説明する。
【００１５】
図１及び図２に示したように、本開示の一実施形態にかかる撮像装置１００は、設定画面を表示したり、撮像前に構図を確認するためのいわゆるライブビュー画像や、撮像画像を表示したりする表示部１０８が回動可能に設けられている。図１及び図２では、上部の一辺を軸にして表示部１０８が１８０度回動する撮像装置１００を示している。もちろん表示部１０８の回動形態は係る例に限られないことは言うまでもない。
【００１６】
本実施形態にかかる撮像装置１００は、表示部１０８にタッチパネルが設けられ、シャッタボタンの押下の他に、表示部１０８への指の接触によっても撮像動作を開始する。図３は、表示部１０８を１８０度回動させた状態で、撮像者が表示部１０８へ指を接触させた様子を示す説明図である。なお、図３は、撮像者の右手の人差し指が表示部１０８に触れている様子を図示したものであり、撮像者の左手の図示は省略している。図３に示すように、撮像者が表示部１０８へ指を接触させると、撮像装置１００の筐体に設けられる、被写体の光を撮像素子に導くためのレンズの前に撮像者の手が位置することになる。すなわち、撮像者が表示部１０８へ指を接触させると、撮像装置１００は、撮像装置１００の筐体の前面に設けられるレンズに入射する光が撮像者の手によって遮られる状態になる。この状態で撮像動作が開始されると、撮像者の手にフォーカスが合ってしまうことになる。
【００１７】
従って、撮像者が撮像装置１００を用いてセルフタイマー撮像を実行しようとする場合に、自分の姿を表示部１０８で確認するために、図１や図２に示したように表示部１０８を１８０度回動させた状態で、撮像者が表示部１０８へ指を接触させると、撮像者の手にフォーカスが合った状態でセルフタイマー撮像が実行されてしまう。
【００１８】
そこで以下で説明する実施形態では、撮像装置１００を用いてセルフタイマー撮像を実行しようとする場合において、撮像者にとって意図しない合焦処理を回避して適切にセルフタイマー撮像を実行する撮像装置について説明する。
【００１９】
以上、本開示の一実施形態にかかる撮像装置の外観例について説明した。次に、本開示の一実施形態にかかる撮像装置１００の機能構成例について説明する。
【００２０】
［撮像装置の機能構成例］
図４は、本開示の一実施形態にかかる撮像装置１００の機能構成例を示す説明図である。以下、図４を用いて本開示の一実施形態にかかる撮像装置１００の機能構成例について説明する。
【００２１】
図４に示したように、本開示の一実施形態にかかる撮像装置１００は、制御部１０１と、撮像部１０２と、撮像画像処理部１０３と、撮像画像記録部１０４と、記憶部１０５と、操作部１０６と、表示制御部１０７と、表示部１０８と、状態検知部１０９と、画像制御部１１０と、撮像モード制御部１１１と、を含んで構成される。
【００２２】
制御部１０１は、撮像装置１００の各部の動作を制御する。制御部１０１は、例えばＣＰＵ（Ｃｅｎｔｒａｌ  Ｐｒｏｃｅｓｓｉｎｇ  Ｕｎｉｔ）などで構成される。制御部１０１は、例えば撮像装置１００に設けられるＲＯＭ（Ｒｅａｄ  Ｏｎｌｙ  Ｍｅｍｏｒｙ）等の記録媒体に記録されているコンピュータプログラムを読みだして順次実行することで、撮像装置１００の各部の動作を制御してもよい。
【００２３】
撮像部１０２は、被写体を撮像して画像信号を生成する。撮像部１０２は、光電変換によって光を電気信号に変換する撮像素子、被写体からの光を撮像素子に導くズームレンズやフォーカスレンズ、被写体の明るさを調節する絞り、撮像素子への入光を制御するシャッタ等で構成される。撮像部１０２が生成した画像信号は、制御部１０１の制御によって、撮像画像処理部１０３へ送られる。
【００２４】
撮像画像処理部１０３は、撮像部１０２が生成した画像信号に対して所定の信号処理を行なう。撮像画像処理部１０３が実行する信号処理には、例えばノイズリダクション処理や画質向上処理等がある。撮像画像処理部１０３が所定の信号処理を行なった画像信号は、制御部１０１の制御によって撮像画像記録部１０４に送られる。
【００２５】
撮像画像記録部１０４は、撮像画像処理部１０３が信号処理を行なった画像信号を所定の圧縮符号化方式を用いて圧縮して、画像データとして記憶部１０５に記録する。記憶部１０５は、撮像装置１００の各種処理に関するデータを格納する。記憶部１０５は、例えばＲＯＭ、ＲＡＭ、メモリーカードなどで構成される。記憶部１０５には、例えば制御部１０１で実行されるコンピュータプログラムや、制御部１０１で撮像装置１００の各部の動作を制御するための各種設定情報、撮像画像記録部１０４が生成した画像データが記憶される。
【００２６】
操作部１０６は、撮像装置１００を操作するためのユーザインターフェースとして機能する。操作部１０６は、例えば、撮像装置１００の外装に設けられたシャッタボタン、十字ボタン、またはメニューボタンなど各種の操作ボタン、タッチパネル、またはリモートコントローラなどである。操作部１０６は、ユーザの操作に応じた操作信号を制御部１０１に出力する。制御部１０１は、操作部１０６から送られてくる操作信号に基づいた各種動作を実行する。
【００２７】
表示制御部１０７は、制御部１０１の制御に基づき、表示部１０８に文字、画像その他の各種情報を表示させるための表示制御を実行する。表示部１０８は、表示制御部１０７により表示が制御される文字、画像その他の各種情報を表示する。表示部１０８は、例えば、ＬＣＤ（液晶ディスプレイ）、有機ＥＬ（Ｅｌｅｃｔｒｏ−Ｌｕｍｉｎｅｓｃｅｎｃｅ）ディスプレイなどで構成される。
【００２８】
本実施形態では、表示部１０８には表示面の表面にタッチパネルが設けられる。ユーザは、タッチパネルが設けられた表示部１０８を指で触ることで撮像装置１００を操作することができる。従って、表示部１０８は本開示の操作部の一例である。表示部１０８を指で触ることで可能になる撮像装置１００の操作には、例えば表示部１０８にライブビュー表示されている被写体の合焦機能、制御部１０１へ撮像の開始を指示する撮像開始指示機能、表示部１０８に表示されるメニュー画面の選択機能等がある。
【００２９】
状態検知部１０９は、撮像装置１００の状態の検知を行なう。状態検知部１０９は、撮像装置１００の状態の検知として、表示部１０８の回動状態を検知する。その他にも、状態検知部１０９は、撮像装置１００の状態の検知として、ユーザによる撮像装置１００の把持の有無や、撮像装置１００の固定状態の検知等を行なう。状態検知部１０９は、ユーザによる撮像装置１００の把持の有無を検知する際には、撮像装置１００の筐体の所定の位置に設けられた静電容量センサ、圧力センサその他のユーザが把持したことを検知するセンサからの信号の有無により行なっても良い。また状態検知部１０９は、撮像装置１００の状態の検知として撮像装置１００の固定状態を検知するために、ジャイロセンサ、加速度センサ、を有していても良い。
【００３０】
本実施形態にかかる撮像装置１００は、状態検知部１０９が撮像装置１００の状態の検知を行い、撮像装置１００の状態に応じて、セルフタイマー撮像時の自動合焦処理の動作を変化させる。より具体的には、本実施形態にかかる撮像装置１００は、状態検知部１０９が表示部１０８の回動状態を検知し、表示部１０８の表示面が撮像装置１００の背面側を向いているか、前面側を向いているかによって、セルフタイマー撮像時の自動合焦処理の動作を変化させる。本実施形態にかかる撮像装置１００は、撮像者にとって意図しない合焦処理を回避して適切にセルフタイマー撮像を実行することが可能となる。なお、撮像装置１００の前面側とは、撮像部１０２におけるレンズが向いている側を指し、撮像装置１００の背面側とは撮像部１０２におけるレンズが向いている側の反対側を指す。
【００３１】
画像制御部１１０は、撮像部１０２が撮像する画像データに対する各種制御を実行する。画像制御部１１０は、画像データに対する各種制御として、例えば、撮像部１０２が撮像する画像データから顔を検出する顔検出処理、検出した顔が笑顔になった時点で撮像開始を制御部１０１に指示する笑顔撮像処理等を実行する。
【００３２】
撮像モード制御部１１１は、本開示の撮像制御部の一例であり、撮像装置１００の撮像時における撮像モードを制御する。具体的には、撮像モード制御部１１１は、撮像装置１００でセルフタイマー撮像を実行する際のセルフタイマーモードを制御する。
【００３３】
本実施形態では、撮像モード制御部１１１は、撮像装置１００でセルフタイマー撮像を実行するモードとして、少なくとも２つのセルフタイマーモードを有する。１つは、撮像開始指示を受けた直後に自動合焦処理を実行して、自動合焦処理の完了から所定時間経過後に撮像を実行するセルフタイマーモード（第１のセルフタイマーモード）である。もう１つは、撮像開始指示を受けて所定時間経過後に自動合焦処理を実行してから撮像を実行するセルフタイマーモード（第２のセルフタイマーモード）である。より詳細には、本開示の一実施形態にかかる撮像装置１００は、撮像者による撮像開始指示後に、自動合焦処理、撮像処理の順で処理を実行する第１のセルフタイマーモード及び第２のセルフタイマーモードで撮像制御を実行する。そして、本開示の一実施形態にかかる撮像装置１００は、第１のセルフタイマーモードにおける撮像開始指示から自動合焦処理を行うまでの第１の期間が、第２のセルフタイマーモードにおける撮像開始指示から自動合焦処理を行うまでの第２の期間よりも短く設定される。撮像モード制御部１１１は、撮像装置１００でセルフタイマー撮像を実行する際に、この２つのセルフタイマーモードからいずれか１つのセルフタイマーモードを選択する。
【００３４】
なお、上述したいずれのセルフタイマーモードにおいても、撮像装置１００は、撮像者からの撮像指示に応じてタイマーの起動無しに動作を開始しても良い。撮像装置１００は、第１のセルフタイマーモードでは、撮像者からの撮像指示に応じてタイマーの起動無しに動作を開始し、自動合焦処理の完了時点からタイマーを起動するようにしてもよい。また撮像装置１００は、第２のセルフタイマーモードは、セルフタイマーより短い時間に設定される自動合焦処理開始までのタイマーを起動して自動合焦処理を実行した後に、セルフタイマーで設定された時間が経過した時点で撮像処理を実行しても良い。なお、撮像装置１００は、第２のセルフタイマーモードにおいて、同一のタイマーを用いてもよい。撮像装置１００は、第２のセルフタイマーモードにおいて、同一のタイマーの計時に基づいて自動合焦処理の実行及び撮像処理の実行を制御しても良い。
【００３５】
撮像モード制御部１１１は、状態検知部１０９が検知した撮像装置１００の状態に応じて、これら少なくとも２つのセルフタイマーモードからいずれか１つのセルフタイマーモードを選択してもよい。以下の説明では、状態検知部１０９が表示部１０８の回動状態を検知し、撮像モード制御部１１１が、表示部１０８の回動状態に応じて２つのセルフタイマーモードからいずれか１つのセルフタイマーモードを選択する場合を説明する。
【００３６】
なお、以下の説明では、表示部１０８の表示面が撮像装置１００の背面側にある場合は「通常撮像モード」と、表示部１０８の表示面が撮像装置１００の前面側にある場合は「自分撮りモード」と、それぞれ称することにする。「自分撮りモード」とは、撮像者が撮像装置１００を持って、表示部１０８に表示される撮像者自身の姿を見ながら、撮像者自身を撮像することを目的とする撮像モードである。また「通常撮像モード」とは、「自分撮りモード」ではない撮像モードであり、撮像者が撮像装置１００を用いて通常の撮像を実行することを目的とする撮像モードである。
【００３７】
以上、図４を用いて本開示の一実施形態にかかる撮像装置１００の機能構成例について説明した。次に、本開示の一実施形態にかかる撮像装置１００の動作について説明する。
【００３８】
［撮像装置の動作例］
図５は、本開示の一実施形態にかかる撮像装置１００の動作例を示す流れ図である。図５に示した動作例は、撮像装置１００でセルフタイマー撮像を実行する際の、本開示の一実施形態にかかる撮像装置１００の動作例を示したものである。以下、図５を用いて本開示の一実施形態にかかる撮像装置１００の動作例について説明する。
【００３９】
撮像装置１００でセルフタイマー撮像を実行する際には、撮像装置１００は、まず撮像モードが通常撮像モードなのか自分撮りモードなのかを判断する（ステップＳ１０１）。このステップＳ１０１の判断は、例えば撮像モード制御部１１１が実行する。
【００４０】
上記ステップＳ１０１の判断の結果、表示部１０８の表示面が撮像装置１００の背面側にあり、撮像モードが通常撮像モードであると判断されると、続いて撮像装置１００は、通常撮像モードでのセルフタイマーモードの決定を行なう（ステップＳ１０２）。ステップＳ１０２のセルフタイマーモードの決定は、例えば撮像モード制御部１１１が実行する。撮像モードが通常撮像モードであれば、セルフタイマーモードは、撮像開始指示を受けた直後に自動合焦処理を実行して所定時間経過後に撮像を実行する第１のセルフタイマーモードになる。なお、撮像を実行するとは、記録するための静止画を取得することを言う。
【００４１】
続いて撮像装置１００は、ユーザによる撮像開始操作を待機する。ここでは、ユーザによる撮像開始操作として表示部１０８に設けられるタッチパネルへの指の接触を例に挙げて説明する。撮像装置１００は、ユーザによる表示部１０８に設けられるタッチパネルへの指の接触を検出すると（ステップＳ１０３）、撮像装置１００は、まず被写体の自動合焦処理を実行する（ステップＳ１０４）。ユーザによる表示部１０８に設けられるタッチパネルへの指の接触の検出は例えば制御部１０１が行ない、表示部１０８に設けられるタッチパネルへの指の接触の検出に伴って、制御部１０１は被写体の自動合焦処理を実行する。また、被写体の自動合焦処理は、例えば制御部１０１が実行する。被写体の自動合焦処理には様々な方法があるが、例えば、画像のコントラスト値を算出しつつ、フォーカスレンズの位置を段階的にずらし、最大のコントラスト値が得られたフォーカスレンズの位置を合焦点とする方法がある。
【００４２】
被写体の自動合焦処理を実行すると、続いて撮像装置１００は、予め設定された時間の後に撮像を実行するセルフタイマーを起動する（ステップＳ１０５）。セルフタイマーの起動は、例えば制御部１０１が行なう。
【００４３】
一方、上記ステップＳ１０１の判断の結果、表示部１０８の表示面が撮像装置１００の前面側にあり、撮像モードが自分撮りモードであると判断されると、続いて撮像装置１００は、自分撮りモードでのセルフタイマーモードの決定を行なう（ステップＳ１０６）。ステップＳ１０６のセルフタイマーモードの決定は、例えば撮像モード制御部１１１が実行する。撮像モードが自分撮りモードであれば、セルフタイマーモードは、撮像開始指示を受けて所定時間経過後に自動合焦処理を実行してから撮像を実行する第２のセルフタイマーモードになる。
【００４４】
続いて撮像装置１００は、ユーザによる撮像開始操作を待機する。ここでは、ユーザによる撮像開始操作として表示部１０８への指の接触を例に挙げて説明する。撮像装置１００は、ユーザによる表示部１０８への指の接触を検出すると（ステップＳ１０７）、撮像装置１００は、まず、予め設定された時間の後に撮像を実行するセルフタイマーを起動する（ステップＳ１０８）。ユーザによる表示部１０８への指の接触の検出は例えば制御部１０１が行ない、表示部１０８への指の接触の検出に伴って、制御部１０１はセルフタイマーを起動する。
【００４５】
撮像装置１００は、セルフタイマーを起動してから所定の時間が経過すると、続いて、被写体の自動合焦処理を実行する（ステップＳ１０９）。被写体の自動合焦処理は、上記ステップＳ１０４と同様に、例えば制御部１０１が実行する。
【００４６】
通常撮像モードにおいて、上記ステップＳ１０５でセルフタイマーを起動してから所定の時間が経過すると、または、自分撮りモードにおいて、上記ステップＳ１０９で被写体の自動合焦処理を実行すると、続いて撮像装置１００は、撮像動作を実行して被写体の撮像を行なう（ステップＳ１１０）。撮像動作の実行は、例えば制御部１０１が行なう。
【００４７】
撮像装置１００は、セルフタイマー撮像を実行する際に、図５に示したような動作を実行することで、２つのセルフタイマーモードから１つのセルフタイマーモードを選択する。撮像装置１００は、２つのセルフタイマーモードから１つのセルフタイマーモードを選択することで、撮像者にとって意図しない自動合焦処理を回避して適切にセルフタイマー撮像を実行することが可能となる。
【００４８】
撮像装置１００が、通常撮像モードにおいて撮像開始操作を受けた直後に自動合焦処理を実行し、自動合焦処理の実行から所定の時間経過後に撮像を実行するのは、集合写真の撮像のように、撮像者による撮像開始操作時における被写体に適切に合焦させると、その後は被写体が移動しないことが前提であるので、合焦状態が変化しないからである。撮像装置１００は、撮像開始操作時における被写体に自動的に合焦させると、その後はセルフタイマーで設定された時間の経過時に撮像処理だけを実行すれば良い。撮像装置１００に対して撮像開始操作を行なった撮像者は、セルフタイマーで設定された時間の経過までに被写体の位置に移動することで、撮像装置１００は、予め合焦させた被写体だけでなく、撮像者にも合焦して撮像を実行することが出来る。また、撮像装置１００が、通常撮像モードにおいて撮像開始操作を受けた直後に自動合焦処理を実行し、自動合焦処理の実行から所定の時間経過後に撮像を実行することで、撮像者はセルフタイマーを動作させた直後に自動合焦処理の結果を確認してから、被写体として写る位置に移動できる。一方、撮像装置１００が、自分撮りモードにおいて撮像開始操作を受けてから、セルフタイマーで設定された時間の経過後に、自動合焦処理、撮像処理の順に処理を実行するのは、撮像者による撮像開始操作時における被写体ではなく、セルフタイマーで設定された時間の経過時における被写体に、適切に合焦させるためである。自分撮りモードにおいて、セルフタイマーで設定された時間の経過時における被写体に自動的に合焦させることで、撮像装置１００は、撮像者にとって意図しない合焦処理を回避し、適切な被写体に自動的に合焦させることができる。
【００４９】
本実施形態では、撮像装置１００は、上記ステップＳ１０１において、まず撮像モードが通常撮像モードなのか自分撮りモードなのかを判断していたが、本開示は係る例に限定されない。例えば、撮像装置１００は、撮像者によって予め通常撮像モードか、自分撮りモードかが決定されていて、さらにセルフタイマーモードで撮像されるかどうか判断してもよい。また例えば、撮像装置１００は、表示部１０８の状態やユーザの指示等により、自分撮りモードで撮像する場合は、必ずセルフタイマーモードで撮像するようにしてもよい。
【００５０】
図６および図７は、本開示の一実施形態にかかる撮像装置１００が有する２つのセルフタイマーモードについて示す説明図である。図６に示したのは、撮像者の操作によって撮像装置１００が撮像開始指示を受けた直後に自動合焦処理を実行して所定時間経過後に撮像を実行する第１のセルフタイマーモードである。図７に示したのは、撮像者の操作によって撮像装置１００が撮像開始指示を受けて所定時間経過後に自動合焦処理を実行してから撮像を実行する第２のセルフタイマーモードである。
【００５１】
本開示の一実施形態にかかる撮像装置１００は、撮像モードに応じてこの２つのセルフタイマーモードの中から１つのセルフタイマーモードを選択する。撮像モードに応じてこの２つのセルフタイマーモードの中から１つのセルフタイマーモードを選択することで、撮像者にとって意図しない自動合焦処理を回避して適切にセルフタイマー撮像を実行することが可能となる。
【００５２】
＜２．まとめ＞
以上説明したように、本開示の一実施形態にかかる撮像装置１００は、セルフタイマー撮像時に、自動合焦処理とセルフタイマーの実行とのタイミングが異なる２つのセルフタイマーモードを有する。撮像装置１００は、撮像モードに応じてこの２つのセルフタイマーモードの中から１つのセルフタイマーモードを選択する。
【００５３】
例えば、表示部１０８の表示面が撮像装置１００の背面側にあり、撮像モードが通常撮像モードであると判断すると、撮像装置１００は、撮像開始指示を受けた直後に自動合焦処理を実行して所定時間経過後に撮像を実行するセルフタイマーモードを選択する。一方、表示部１０８の表示面が撮像装置１００の前面側にあり、撮像モードが自分撮りモードであると判断すると、撮像装置１００は、撮像開始指示を受けて所定時間経過後に自動合焦処理を実行してから撮像を実行するセルフタイマーモードを選択する。
【００５４】
このように、撮像モードによってセルフタイマーモードを選択することで、撮像装置１００は、例えば図３に示したように、表示部１０８を指で触って撮像操作を開始しようとする際に、ユーザの指や手に合焦するような、撮像者にとって意図しない自動合焦処理を回避して適切にセルフタイマー撮像を実行することが可能となる。
【００５５】
以上、添付図面を参照しながら本開示の好適な実施形態について詳細に説明したが、本開示はかかる例に限定されない。本開示の属する技術の分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００５６】
例えば、上記実施形態では、撮像装置１００は、表示部１０８の回動状態を基に撮像モードを判定し、その判定結果に基づいてセルフタイマーモードを選択したが、本開示はかかる例に限定されない。例えば、撮像装置１００の固定状態を基にセルフタイマーモードを選択してもよい。
【００５７】
撮像装置１００が固定されているということは、すなわち、撮像装置１００を三脚等で固定して撮像するというケースが想定される。従って、撮像装置１００が固定されていれば、自分撮りではない通常の撮像が行われるものと考えられるので、撮像装置１００が固定されていれば、撮像装置１００は、撮像開始指示を受けた直後に自動合焦処理を実行して所定時間経過後に撮像を実行する通常撮像モードでのセルフタイマーモードを選択してもよい。
【００５８】
一方、撮像装置１００が固定されていなければ、手持ちの状態で撮像が行われるものと考えられる。撮像装置１００が固定されていない場合では、撮像装置１００は、撮像開始指示を受けて所定時間経過後に自動合焦処理を実行してから撮像を実行する自分撮りモードでのセルフタイマーモードを選択してもよい。なお、撮像装置１００を手持ちして撮像する場合でも自分撮りを行わないことが当然考えられるので、撮像装置１００が固定されていない場合では、撮像装置１００は、さらに表示部１０８の回動状態を基に撮像モードを判定し、その判定結果に基づいてセルフタイマーモードを選択してもよい。
【００５９】
なお撮像装置１００は、三脚等に固定されているかどうかの判断を、状態検知部１０９が検知した撮像装置１００の状態に基づいて判断しても良い。例えば、ジャイロセンサや加速度センサ等によって、撮像装置１００が所定の時間中揺れ動いていないことが検知されると、撮像装置１００は、三脚等に固定された状態であると判断し、通常撮像モードでのセルフタイマーモードを選択してもよい。逆に、ジャイロセンサや加速度センサ等によって、撮像装置１００が揺れ動いていることが検知されると、撮像装置１００は、手持ちの状態であると判断し、自分撮りモードでのセルフタイマーモードを選択してもよい。また撮像装置１００に発光ダイオード等の発光部およびフォトデテクタ等の光検出器を設け、三脚のカメラ台により反射された発光ダイオードからの光を光検出器で検出することにより、撮像装置１００は、三脚との固定状態を検出するようにしても良い。
【００６０】
また上記実施形態では、表示部１０８が撮像装置１００の筐体の上辺を軸として１８０度回動可能であると説明したが、本開示は係る例に限定されない。例えば、表示部１０８は撮像装置１００の筐体から着脱可能であり、表示部１０８の表示面が撮像装置１００の背面側にある状態と、図１のように撮像装置１００の前面側にある状態とに切り替え可能であってもよい。
【００６１】
また例えば、本明細書の各装置が実行する処理における各ステップは、必ずしもシーケンス図またはフローチャートとして記載された順序に沿って時系列に処理する必要はない。例えば、各装置が実行する処理における各ステップは、フローチャートとして記載した順序と異なる順序で処理されても、並列的に処理されてもよい。
【００６２】
また、各装置に内蔵されるＣＰＵ、ＲＯＭおよびＲＡＭなどのハードウェアを、上述した各装置の構成と同等の機能を発揮させるためのコンピュータプログラムも作成可能である。また、該コンピュータプログラムを記憶させた記憶媒体も提供されることが可能である。また、機能ブロック図で示したそれぞれの機能ブロックをハードウェアで構成することで、一連の処理をハードウェアで実現することもできる。
【００６３】
なお、本技術は以下のような構成も取ることができる。
（１）
撮像開始指示後に、自動合焦処理、撮像処理の順で処理を実行する第１及び第２のセルフタイマーモードで撮像制御を実行する撮像制御部を有し、
前記第１のセルフタイマーモードにおける前記撮像開始指示から前記自動合焦処理を行うまでの第１の期間が、前記第２のセルフタイマーモードにおける前記撮像開始指示から前記自動合焦処理を行うまでの第２の期間よりも短い、撮像装置。
（２）
撮像開始を前記撮像制御部に指示する操作部をさらに備え、
前記操作部は、ユーザにより操作される際に、ユーザが前記操作部を操作する手または腕により、筺体に配置されたレンズに入射する光が遮られる位置に設けられる、前記（１）に記載の撮像装置。
（３）
前記操作部は、タッチパネルを備えた画像表示部である、前記（２）に記載の撮像装置。
（４）
前記画像表示部は、前記レンズが設けられる前記筺体の前面側に表示面が現れる第１の状態と、前記筺体の背面側に表示面が現れる第２の状態とに切り換え可能であり、
前記撮像制御部は、セルフタイマーモードの際に、前記画像表示部が前記第１の状態であるか前記第２の状態であるかに応じて前記第１のセルフタイマーモードまたは前記第２のセルフタイマーモードのいずれかで撮像制御を実行する、前記（３）に記載の撮像装置。
（５）
前記撮像制御部は、セルフタイマーモードの際に、撮像開始指示時における自装置の固定状態に応じて、前記第１のセルフタイマーモードまたは前記第２のセルフタイマーモードのいずれかで撮像制御を実行する、前記（１）から（４）のいずれかに記載の撮像装置。
（６）
前記撮像制御部は、セルフタイマーモードの際に、撮像開始指示時に自装置がユーザに把持されているか否かに応じて、前記第１のセルフタイマーモードまたは前記第２のセルフタイマーモードのいずれかで撮像制御を実行する、前記（１）から（５）のいずれかに記載の撮像装置。
（７）
前記第２のセルフタイマーモードは、自分撮りモードであり、前記第１のセルフタイマーモードは、前記自分撮りモード以外の撮像モードである、前記（１）から（６）のいずれかに記載の撮像装置。
（８）
撮像開始指示後に、自動合焦処理、撮像処理の順で処理を実行する第１及び第２のセルフタイマーモードで撮像制御を実行する撮像制御ステップを有し、
前記第１のセルフタイマーモードにおける前記撮像開始指示から前記自動合焦処理を行うまでの第１の期間が、前記第２のセルフタイマーモードにおける前記撮像開始指示から前記自動合焦処理を行うまでの第２の期間よりも短い、撮像装置の制御方法。
（９）
撮像開始指示後に、自動合焦処理、撮像処理の順で処理を実行する第１及び第２のセルフタイマーモードで撮像制御を実行する撮像制御ステップをコンピュータに実行させ、
前記第１のセルフタイマーモードにおける前記撮像開始指示から前記自動合焦処理を行うまでの第１の期間が、前記第２のセルフタイマーモードにおける前記撮像開始指示から前記自動合焦処理を行うまでの第２の期間よりも短い、コンピュータプログラム。
【符号の説明】
【００６４】
１００    撮像装置
１０１    制御部
１０２    撮像部
１０３    撮像画像処理部
１０４    撮像画像記録部
１０５    記録部
１０６    操作部
１０７    表示制御部
１０８    表示部
１０９    状態検知部
１１０    画像制御部
１１１    撮像モード制御部
【図１】
0006331244.tif 000002
【図２】
0006331244.tif 000003
【図３】
0006331244.tif 000004
【図４】
0006331244.tif 000005
【図５】
0006331244.tif 000006
【図６】
0006331244.tif 000007
【図７】
0006331244.tif 000008